【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
無線通信システムにおいて動作するユーザ機器（ＵＥ）のための方法であって、
１つ以上の免許セルおよび１つ以上の無免許セルを構成することと、
複数の論理チャネルを構成することであって、前記複数の論理チャネルのそれぞれは、無免許セル上で送信されることが許されているまたは許されていない、ことと、
アップリンクグラントを受信することと、
前記アップリンクグラントに基づいて、論理チャネル優先順位決定（Ｌｏｇｉｃａｌ  Ｃｈａｎｎｅｌ  Ｐｒｉｏｒｉｔｉｚａｔｉｏｎ；ＬＣＰ）手順を行うことと
を含み、
前記アップリンクグラントが前記１つ以上の免許セルのうちの１つに対するものである場合、前記ＬＣＰ手順は、前記複数の論理チャネルのうちの全てに対して行われ、
前記アップリンクグラントが前記１つ以上の無免許セルのうちの１つに対するものである場合、前記ＬＣＰ手順は、無免許セル上で送信されることが許されている論理チャネルに対してのみ行われる、方法。
【請求項２】
前記アップリンクグラントが前記１つ以上の免許セルのうちの１つに対するものである場合、前記ＬＣＰ手順に従って、前記複数の論理チャネルの全てから無線リンク制御（ＲＬＣ）プロトコルデータユニット（ＰＤＵ）を含む媒体アクセス制御（ＭＡＣ）ＰＤＵを生成することをさらに含む、請求項１に記載の方法。
【請求項３】
前記アップリンクグラントが前記１つ以上の無免許セルのうちの１つに対するものである場合、前記ＬＣＰ手順に従って、無免許セル上で送信されることが許されている論理チャネルのみから無線リンク制御（ＲＬＣ）プロトコルデータユニット（ＰＤＵ）を含む媒体アクセス制御（ＭＡＣ）ＰＤＵを生成することをさらに含む、請求項２に記載の方法。
【請求項４】
前記ＭＡＣ  ＰＤＵを送信することをさらに含む、請求項２または請求項３に記載の方法。
【請求項５】
前記１つ以上の免許セルおよび前記１つ以上の無免許セルは、基地局によってサービスされる、請求項４に記載の方法。
【請求項６】
前記複数の論理チャネルのそれぞれに対する指示を受信することをさらに含み、
前記指示は、対応する論理チャネルが無免許セル上で送信されることを許されているか否かを示す、請求項１〜３のいずれか一項に記載の方法。
【請求項７】
前記ＬＣＰ手順は、前記複数の論理チャネルと関連付けられている媒体アクセス制御（ＭＡＣ）エンティティによって行われる、請求項１〜３のいずれか一項に記載の方法。
【請求項８】
前記１つ以上の無免許セルに対するＵＬグラントが、前記１つ以上の免許セルのうちの１つ上で受信される、請求項１〜３のいずれか一項に記載の方法。
【請求項９】
無線通信システムにおいて動作するユーザ機器（ＵＥ）であって、
送受信機と、
前記送受信機と動作可能に連結されるプロセッサと
を備え、
前記プロセッサは、
１つ以上の免許セルおよび１つ以上の無免許セルを構成することと、
複数の論理チャネルを構成することであって、前記複数の論理チャネルのそれぞれは、無免許セル上で送信されることが許されているまたは許されていない、ことと、
アップリンクグラントを受信することと、
前記アップリンクグラントに基づいて、論理チャネル優先順位決定（ＬＣＰ）手順を行うことと
を行うように構成され、
前記アップリンクグラントが前記１つ以上の免許セルのうちの１つに対するものである場合、前記プロセッサは、前記複数の論理チャネルのうちの全てに対して前記ＬＣＰ手順を行うように構成され、
前記アップリンクグラントが前記１つ以上の無免許セルのうちの１つに対するものである場合、前記プロセッサは、無免許セル上で送信されることが許されている論理チャネルに対してのみ前記ＬＣＰ手順を行うように構成される、ＵＥ。
【請求項１０】
前記プロセッサは、
前記アップリンクグラントが前記１つ以上の免許セルのうちの１つに対するものである場合、前記ＬＣＰ手順に従って、前記複数の論理チャネルの全てから無線リンク制御（ＲＬＣ）プロトコルデータユニット（ＰＤＵ）を含む媒体アクセス制御（ＭＡＣ）ＰＤＵを生成すること
を行うようにさらに構成される、請求項９に記載のＵＥ。
【請求項１１】
前記プロセッサは、
前記アップリンクグラントが前記１つ以上の無免許セルのうちの１つに対するものである場合、前記ＬＣＰ手順に従って、無免許セル上で送信されることが許されている論理チャネルのみから無線リンク制御（ＲＬＣ）プロトコルデータユニット（ＰＤＵ）を含む媒体アクセス制御（ＭＡＣ）ＰＤＵを生成すること
を行うようにさらに構成される、請求項１０に記載のＵＥ。
【請求項１２】
前記プロセッサは、前記ＭＡＣ  ＰＤＵを送信するように前記送受信機を制御するように構成される、請求項１０または請求項１１に記載のＵＥ。
【請求項１３】
前記１つ以上の免許セルおよび前記１つ以上の無免許セルは、基地局によってサービスされる、請求項１２に記載のＵＥ。
【請求項１４】
前記プロセッサは、
前記複数の論理チャネルのそれぞれに対する指示を受信すること
を行うようにさらに構成され、
前記指示は、対応する論理チャネルが無免許セル上で送信されることを許されているか否かを示す、請求項９〜１１のいずれか一項に記載のＵＥ。
【請求項１５】
前記ＬＣＰ手順は、前記複数の論理チャネルと関連付けられている媒体アクセス制御（ＭＡＣ）エンティティによって行われる、請求項９〜１１のいずれか一項に記載のＵＥ。
【手続補正２】
【補正対象書類名】明細書
【補正対象項目名】００１１
【補正方法】変更
【補正の内容】
【００１１】
前記一般的な説明と以下の本発明の詳細な説明はいずれも例示的なもので、特許請求範囲に記載したような本発明をより詳細に説明するためのものである。
本発明は、例えば、以下を提供する。
（項目１）
無線通信システムにおいて動作するユーザ機器（ＵＥ）のための方法であって、
少なくとも一つの第１セルを含む第１セルグループ及びｅＮＢによってサービスされる少なくとも一つの第２セルを含む第２セルグループで構成するステップと、
複数の論理チャネルを構成するステップであって、上記複数の論理チャネルの各論理チャネルは、上記第２セルに送信不可能な第１タイプ論理チャネル及び上記第２セルに送信可能な第２タイプ論理チャネルのいずれか一つにそれぞれ対応する、ステップと、
上記第１セル又は上記第２セルに対するアップリンクグラントを受信するステップと、
上記第１セルに対する上記アップリンクグラントが受信される場合、上記複数の論理チャネルの全てに対する第１論理チャネル優先順位決定（Ｌｏｇｉｃａｌ  Ｃｈａｎｎｅｌ
Ｐｒｉｏｒｉｔｉｚａｔｉｏｎ；ＬＣＰ）手順を行うステップと、
上記第２セルに対するアップリンクグラントが受信される場合、上記第２タイプ論理チャネルに対応する論理チャネルに対してのみ第２ＬＣＰ手順を行うステップと、
を含む、方法。
（項目２）
上記第１ＬＣＰ手順によって上記複数の論理チャネルの全てから受信されたＲＬＣ  ＰＤＵを含めて上記第１セルに送信されるＭＡＣ  ＰＤＵを生成するステップをさらに含む、項目１に記載の方法。
（項目３）
上記第２ＬＣＰ手順によって上記第２タイプ論理チャネルに対応する上記論理チャネルのみから受信されたＲＬＣ  ＰＤＵを含めて上記第２セルに送信されるＭＡＣ  ＰＤＵを生成するステップをさらに含む、項目１に記載の方法。
（項目４）
該当の論理チャネルが上記第２セルに送信可能か否かを示す、上記複数の論理チャネルのそれぞれに対する指示を受信するステップをさらに含む、項目１に記載の方法。
（項目５）
上記ＬＣＰ手順は、上記複数の論理チャネルと関連付けられているＭＡＣエンティティによって行われる、項目１に記載の方法。
（項目６）
上記第２セルに対するＵＬグラントは、上記第１セル又は上記第２セルから受信される、項目１に記載の方法。
（項目７）
上記第１セルは免許セルであり、上記第２セルは無免許セルである、項目１に記載の方法。
（項目８）
無線通信システムにおいて動作するユーザ機器（ＵＥ）であって、
無線周波数（ＲＦ）モジュールと、
上記ＲＦモジュールと連動しているプロセッサと、
を備え、上記プロセッサは、
少なくとも一つの第１セルを含む第１セルグループ及びｅＮＢによってサービスされる少なくとも一つの第２セルを含む第２セルグループで構成し、
複数の論理チャネルを構成し、上記複数の論理チャネルの各論理チャネルは上記第２セルに送信不可能な第１タイプ論理チャネル及び上記第２セルに送信可能な第２タイプ論理チャネルのいずれか一つにそれぞれ対応し、
上記第１セル又は上記第２セルに対するアップリンクグラントを受信し、
上記第１セルに対するアップリンクグラントが受信される場合、上記複数の論理チャネルの全てに対する第１論理チャネル優先順位決定（ＬＣＰ）手順を行い、
上記第２セルに対する上記アップリンクグラントが受信される場合、上記第２タイプ論理チャネルに対応する論理チャネルに対してのみ第２ＬＣＰ手順を行うように構成された、端末。
（項目９）
上記プロセッサは、
上記第１ＬＣＰ手順によって上記複数の論理チャネルの全てから受信されたＲＬＣ  ＰＤＵを含めて上記第１セルに送信されるＭＡＣ  ＰＤＵを生成するように構成された、項目８に記載のユーザ機器。
（項目１０）
上記プロセッサは、
上記第２ＬＣＰ手順によって上記第２タイプ論理チャネルに対応する上記論理チャネルのみから受信されたＲＬＣ  ＰＤＵを含めて上記第２セルに送信されるＭＡＣ  ＰＤＵを生成するように構成された、項目８に記載のユーザ機器。
（項目１１）
上記プロセッサは、
該当の論理チャネルが上記第２セルに送信可能か否かを示す上記複数の論理チャネルのそれぞれに対する指示を受信するように構成された、項目８に記載のユーザ機器。
（項目１２）
上記ＬＣＰ手順は、上記複数の論理チャネルと関連付けられているＭＡＣエンティティによって行われる、項目８に記載のユーザ機器。
（項目１３）
上記第２セルに対するＵＬグラントは、上記第１セル又は上記第２セルから受信される、項目８に記載のユーザ機器。
（項目１４）
上記第１セルは免許セルであり、上記第２セルは無免許セルである、項目８に記載のユーザ機器。